(57)【要約】【課題】簡単な構造で、確実なレガース保持機能を有するソックスの提供。【解決手段】ソックス１は、ソックス本体３の着用者の脛に相当する部分にポケット５を備えている。このポケット５に、レガースを収納することができる。ポケット５は、使用するレガースを収納するための適当なサイズに形成されている。このソックス１を着用すれば、サッカー等の運動中にレガースがずれたり、脱落したりすることを防止できる。このポケット５はソックス本体３の内側に形成されている方が好ましい。また、ソックス本体３とポケット５とが一体的に編みたてられている方が、好ましい。さらに好ましくは、ポケットがフラップを備えていることである。このソックスは、より確実にレガースの脱落を防止することができる。【選択図】  図１
2004285505.tif 000002
【特許請求の範囲】
【請求項１】
本体と、着用者の脛に相当する部分に形成されたレガース用ポケットとを備えたソックス。
【請求項２】
上記ポケットが本体の内側に形成されている請求項１に記載のソックス。
【請求項３】
上記本体とポケットとが一体的に編みたてられている請求項１又は２に記載のソックス。
【請求項４】
上記ポケットがフラップを備えている請求項１から３のいずれかに記載のソックス。
【発明の詳細な説明】
【０００１】
【発明の属する技術分野】
本発明は、スポーツ用ソックスに関する。詳しくは、レガースを装着できるポケット付きソックスに関する。
【０００２】
【従来の技術】
サッカーでは、足の脛部にレガースを付けることがルールで義務づけられている。ホッケーでもレガースが使用される。これらのスポーツでは、レガースをソックスに挿入して競技するが、使用中に脱落することがしばしばある。脱落に至らないまでも、よくずれる。レガースが脱落すると、競技に支障を生じたり、傷害の原因になる。
【０００３】
【発明が解決しようとする課題】
激しい運動を伴うスポーツ用のレガースは、軽量であることも必要である。運動中にレガースが所定の位置から外れたり、脱落したりすることを防止するためにゴムバンドその他が補助的に用いられている。余分な締結具を取り付けることは、運動の妨げになり、好ましくない。このため、レガース又はソックスの改善が求められている。本願発明は、簡単な構造でレガースを確実に保持するソックスを提供することを目的とする。
【０００４】
【課題を解決するための手段】
本発明に係るソックスは、本体と、着用者の脛に相当する部分に形成されたレガース用ポケットとを備えている。このソックスは、レガースを袋状に包むので、レガースの脱落を防止する。
【０００５】
上記のポケットは、本体の内側に形成されている方が好ましい。レガースは、ソックス本体と脛とに挟まれているので、より脱落しにくい。
【０００６】
より好ましくは、このソックスは、本体とポケットとが一体的に編みたてられたものである。ソックスにポケットを取り付ける手間が不要であり、生産性がよい。また、ポケットの取付け部の傷みが少なく耐久性が高い。
【０００７】
さらに好ましいソックスは、上記ポケットがフラップを備えていることである。フラップは、上部に設けられたレガース差し込み用の開口部を閉じる。したがって、フラップはレガースのずれ上がりを防止する。このソックスは、レガースを、より確実にソックス内に保持する。
【０００８】
【発明の実施の形態】
以下、適宜図面が参照されつつ、好ましい実施形態に基づいて本発明が詳細に説明される。
【０００９】
図１から図３は、本発明の一実施形態に係るソックス１を示している。図１は、ソックス１が示された正面図である。このソックス１は、本体３と、その内側のポケット５とを備えている。このポケット５は、使用されるレガースに相応した大きさを備えている。レガースの形状は、脛に沿わせた湾曲形状である。レガースの幅方向は、脛を中心として脹らはぎ方向に延びている。レガースの長さは、運動の妨げにならない位置で足首の上から膝下付近まである。ソックス１のポケット５は、このレガースより長く、これを収納できる。ポケット５の中のレガースは、ソックス本体３に包み込まれる。このため、レガースが、より確実に保持される。
【００１０】
図２は、図１のＩＩ−ＩＩ線に沿った断面図である。ポケット５の図示されていない上部は開口しており、レガース７を挿入することができる。ポケット５は、ソックス本体３に縫いつけ、接着、溶着その他の方法で取り付けることができる。しかし、ソックス本体３と一体に編み上げる方が好ましい。この図２のポケット５は、本体３と一体に編まれ、取り付け部９が本体３に一体化している。このソックスは、ポケットを取り付ける手間がかからないので生産性がよい。また、ポケットの取付け部の傷みが少ないため耐久性が優れている。
【００１１】
ポケット５の厚みは、使用するレガース７の材質に応じて変更することができる。特に、縫いつけ法、その他でポケット５を取り付ける場合は、変更が容易である。例えば、ポケット５の厚みをソックス本体３と異なる厚さにすることができる。この厚さが、より厚くされれば、脛への緩衝効果が向上する。また、逆により薄くすれば、ソックス１全体の嵩張りが少なくなる。また、要すれば、ポケット５のなかで、一部の厚さを部分的に変更してもよい。例えば、脛に当接する部分又は開口端部等である。前者は脛への緩衝効果を高める。後者は、ポケット５の開口部からレガース７が上部に移動することを妨げる。
【００１２】
図３は、図２のＩＩＩ−ＩＩＩ線に沿った部分断面図である。図の左側がソックスの脛（爪先）方向、図の右側が脹らはぎ（踵）の方向である。図３は、ソックス本体３の脛の部分に設けられたポケット５の中に、レガース７が挿入されている状態を示している。このポケット５は、開口部付近の上端部１１にフラップ１３が設けられている。フラップ１３によって、レガース７は、さらに確実に保持され得る。
【００１３】
フラップ１３は、ポケット５の上端部１１からポケット５の内側に折り込まれるように取り付けられる。フラップ１３は、ポケット上端部１１で、縫いつけ、接着等によって取り付ければよい。このフラップ１３は、競技者が運動中に転んだり、逆立ち状態になっても、レガース７が脱落することを防止する機能がある。ポケット５の底部１５は、前述のとおり一体的に編み上げられているので、十分な耐久性を有する。しかし、レガース７の材質によっては、この底部１５をさらに補強する方が好ましい場合がある。補強方法としては、薄手の高耐久性織布の積層等である。
【００１４】
図４は、本発明の他の実施形態に係るソックス１７が示された部分断面図である。図の左側が脛方向であり、図の右側が脹らはぎの方向である。このソックス１７はソックス本体１９の外側にポケット２１が設けられている。このポケット２１は、レガース２３のサイズに対応した大きさに設けられている。図には、レガース２３がポケット２１に納められた状態が示されている。また、ポケット２１の開口部付近の上端２５には、フラップ２７が取り付けられている。外側に設けられたポケット２１は、本体１９による拘束が少ないため、レガース２３を保持する機能が前述のソックス１より小さくなる。そのため、フラップ２７は、ポケットが本体の内側にあるときよりも重要な役割を担う。しかし、このソックス１７は、脛とレガース２３の間にソックス本体１９が緩衝層となるため、レガース２３の緩衝効果が増加する。なお、ポケット２１及びフラップ２７の取り付け方法等は前述のソックス１の場合と同様である。
【００１５】
運動用ソックスには、ゴム編み部が設けられることがある。このゴム編み部は、ソックスのずれを防止する。上述のソックス１又は１７においても、レガースを抑える部分にゴム編み部を設けることは好ましい。このようなゴム編みは、レガース保持の補助的役割を果たす。
【発明の効果】
以上説明した、本発明のソックスは、簡単な構造であるがレガースの脱落を確実に防止できる。大切な試合中にレガースが脱落したり、そのため、けがをしたりすることがなくなる。
【図面の簡単な説明】
【図１】図１は、本発明の一実施形態にかかるソックス１が示された平面図である。
【図２】図２は、図１のＩＩ−ＩＩ線に沿った断面図である。
【図３】図３は、図２のＩＩＩ−ＩＩＩに沿った部分断面図である。
【図４】図４は、本発明の一実施形態にかかるソックス１７が示された部分断面図である。
【符号の説明】
１、１７・・・ソックス
３、１９・・・ソックス本体
５、２１・・・ポケット
７、２３・・・レガース
９・・・ポケット取付け部
１１、２５・・・ポケット開口上端部
１３、２７・・・フラップ
１５・・・ポケット底部
【図１】
2004285505.tif 000003
【図２】
2004285505.tif 000004
【図３】
2004285505.tif 000005
【図４】
2004285505.tif 000006